(57)【要約】      （修正有）【課題】動画液晶スクリーン付きＷｉＦｉカメラを提供する。【解決手段】カメラ本体を備えた動画液晶スクリーン付きＷｉＦｉカメラは、カメラ本体と接続し、カメラ本体の動作状態を表示するためのセンシング表示機構と、外部の温湿度をモニタリングするための温湿度検出機構と、をさらに備える。動画液晶スクリーン付きＷｉＦｉカメラは、センシング表示機構を通じてカメラ本体の動作状態を表示できることで、使用者が使いやすくなり、同時に温湿度検出機構を通じて外部の温湿度をモニタリングする。【選択図】図１
0003234432.tif 000002
【実用新案登録請求の範囲】
【請求項１】
カメラ本体を備えた動画液晶スクリーン付きＷｉＦｉカメラであって、
前記カメラ本体と接続し、前記カメラ本体の動作状態を表示するためのセンシング表示機構と、
前記カメラ本体と接続し、人に触われると反応するためのタッチ機構と、
前記カメラ本体と接続し、動体を追跡するためのレンズユニットと、
前記カメラ本体と接続し、外部の温湿度をモニタリングするための温湿度検出機構と、
をさらに備えることを特徴とする、カメラ本体を備えた動画液晶スクリーン付きＷｉＦｉカメラ。
【請求項２】
前記カメラ本体は、カメラ用マザーボードを備え、前記カメラ用マザーボードの両側に前部シェル及び後部シェルが対向して固結され、前記カメラ用マザーボードの一側に電源が設けられ、前記電源と前記カメラ用マザーボードとの間に支持台下部カバーが接続され、前記電源の支持台下部カバーに対向する他側に前記センシング表示機構を固定するための支持台上部カバーが固結されることを特徴とする、請求項１に記載の動画液晶スクリーン付きＷｉＦｉカメラ。
【請求項３】
前記センシング表示機構は、表示スクリーンを備え、前記表示スクリーンが前記支持台上部カバーと固結し、前記表示スクリーンの側端面にレンズが固結され、前記前部シェル内にレンズボードが設けられ、前記レンズボードに面する前記前部シェルの側端面にナイトビジョランプカバーが設けられ、前記ナイトビジョランプカバーの側端面に感光性カバーが固結され、前記支持台上部カバーの一側にタッチ銅片が固結されることを特徴とする、請求項２に記載の動画液晶スクリーン付きＷｉＦｉカメラ。
【請求項４】
前記温湿度検出機構は、後蓋を備え、前記後蓋と前記後部シェルとの間にシリコン連結具が接続され、前記後蓋の側端面に温湿度板が固結され、前記温湿度板の両側に各々温湿度センサー上蓋及び温湿度センサー下蓋が固結され、前記カメラ用マザーボードと前記温湿度板との間にデータ転送ケーブルが接続されることを特徴とする、請求項２に記載の動画液晶スクリーン付きＷｉＦｉカメラ。
【請求項５】
前記カメラ用マザーボードの側端にナット固定リングが固結され、前記カメラ用マザーボードと前記ナット固定リングの間にゴムガスケットが接続されることを特徴とする、請求項２に記載の動画液晶スクリーン付きＷｉＦｉカメラ。
【考案の詳細な説明】
【技術分野】
【０００１】
本考案は、カメラ分野に関し、特に、動画液晶スクリーン付きインタラクティブなＷｉＦｉカメラに関する。
【背景技術】
【０００２】
カメラは、光学原理を利用して画像を記録する装置である。カメラの発明当初、映画及びテレビ番組の制作に用いられてきたが、現在では普及されてきている。カメラと同じように初期のカメラは、ネガフィルム（すなわち、ビデオテープ）で記録されてきたが、現在デジタルカメラの発明により、画像をフラッシュメモリに直接保存されるようになった。より新しいカメラは、画像データをクラウドスペース内に直接保存し、動的に録画できるだけでなく、静的に撮影することもできようになった。
【０００３】
現在のＷＩＦＩカメラは、カメラが異なる状態にあることを示す追加の表示スクリーンがない。上述の技術的課題を避けるため、動画液晶スクリーン付きＷｉＦｉカメラを提供することで従来技術内の前記欠陥を克服する必要があった。
【考案の概要】
【考案が解決しようとする課題】
【０００４】
本考案の実施形態の目的は、従来のＷＩＦＩカメラにカメラが異なる状態にあることを示すための追加の表示スクリーンを有さないという課題の解決を意図する動画液晶スクリーン付きＷｉＦｉカメラを提供することである。
【課題を解決するための手段】
【０００５】
本考案の実施形態は、上記目的を達成するために以下のような技術的手段を講じた。
カメラ本体を備えた動画液晶スクリーン付きインタラクティブなＷｉＦｉカメラであって、
カメラ主体と接続し、カメラ本体の動作状態を表示するためのセンシング表示機構と、
カメラ本体と接続し、人に触われると反応するためのタッチ機構と、
カメラ本体と接続し、動体を追跡するためのレンズユニットと、
カメラ本体と接続し、外部の温湿度をモニタリングするための温湿度検出機構と、
をさらに備える。
【図面の簡単な説明】
【０００６】
【図１】図１  本考案の動画液晶スクリーン付きＷｉＦｉカメラの概略構成図である。
【考案を実施するための形態】
【０００７】
以下、本考案の目的、技術的手段及び利点をより明確させるため、添付図面及び実施形態を参照しつつ本考案を詳細に説明する。ここで記述されている具体的実施形態は、あくまでも本考案の技術内容を明らかにするものであって、本考案を限定しないことを理解すべきである。
【０００８】
以下、具体的実施形態を組み合わせて本考案の具体的実現を詳細に説明する。
【０００９】
図１に示すように、本考案によって提供されるカメラ本体を備えた動画液晶スクリーン付きＷｉＦｉカメラは、
カメラ主体と接続し、カメラ本体の動作状態を表示するためのセンシング表示機構と、
カメラ本体と接続し、外部の温湿度をモニタリングするための温湿度検出機構と、
をさらに備える。
【００１０】
この動画液晶スクリーン付きＷｉＦｉカメラは、センシング表示機構を通じてカメラ本体の動作状態を表示できることで、使用者が使いやすくなり、同時に温湿度検出機構を通じて外部の温湿度をモニタリングする。
【００１１】
本考案の実施形態において、本考案の好ましい実施形態として、前記カメラ本体は、カメラ用マザーボード１６を備え、前記カメラ用マザーボード１６の両側に前部シェル３及び後部シェル７が対向して固結され、前記カメラ用マザーボード１６の一側に充電式電池５が設けられ、前記充電式電池５とカメラ用マザーボード１６との間に支持台下部カバー１７が接続され、前記充電式電池５の支持台下部カバーに対向する他側にセンシング表示機構を固定するための支持台上部カバー４が固結され、前部シェル３及び後部シェル７を通じてカメラ用マザーボード１６を保護し、充電式電池５は外部電源のない場合においてＷｉＦｉカメラ全体に電力を供給する。
【００１２】
本考案の実施形態において、本考案の好ましい実施形態として、前記センシング表示機構は、表示スクリーン２を備え、前記表示スクリーン２が支持台上部カバー４と固結し、前記表示スクリーン２の側端面にレンズ１が固結され、前記前部シェル３内にレンズボード１８が設けられ、レンズボード１８に面する前記前部シェル３の側端面にナイトビジョランプカバー１９が設けられ、前記ナイトビジョランプカバー１９の側端面に感光性カバー２０が固結され、前記支持台上部カバー４の一側にタッチ銅片６が固結される。本考案の好ましい実施形態として、前記表示スクリーン２は、１．２５インチスクリーンであり、タッチ銅片６を通じて圧力信号を受信できることで、使用者の指令に応答して、レンズボード１８を介して撮影して記録し、レンズ１を介して１．２５インチスクリーンを外部から保護し、感光性カバー２０及びナイトビジョランプカバー１９を介して薄暗いときのレンズボード１８の画像の鮮明度を高めることができる。
【００１３】
本考案の実施形態において、本考案の好ましい実施形態として、前記温湿度検出機構は、後蓋９を備え、前記後蓋９と後部シェル７との間にシリコン連結具８が接続され、前記後蓋９の側端面に温湿度板１０が固結され、前記温湿度板１０の両側に各々温湿度センサー上蓋１１及び温湿度センサー下蓋１２が固結され、前記カメラ用マザーボード１６と温湿度板１０との間にデータ転送ケーブル１３が接続され；温湿度板１０を通じて外部の温湿度変化を記録し、同時に温湿度板１０は、温湿度データをデータ転送ケーブル１３でカメラ用マザーボード１６に伝送して保存する。
【００１４】
本考案の実施形態において、本考案の好ましい実施形態として、前記カメラ用マザーボード１６の側端にナット固定リング１４が固結され、前記カメラ用マザーボード１６とナット固定リング１４の間にゴムガスケット１５が接続され；ナット固定リング１４でこのＷｉＦｉカメラと付属ブラケットを効果的に固定する。
【００１５】
以上に開示したものは、本考案の好ましい実施形態であるが、これによって本考案に対してどのような形式上の限定を意図するものではなくため、本考案の精神及び原則の範囲内で行われた均等置換と改善などは、全て本考案の意図した保護範囲に含まれる。
【００１６】
なお、本明細書は、実施形態に従って描写されているが、各実施形態に１つの独立した技術的手段のみが含まれているわけではなく、明細書のこのような記述方法が明確にするためだけのものであり、当業者は明細書を一体として扱われ、各実施例における技術的手段がまた、適切に組み合わされることで当業者に理解され得る他の実施形態を形成することができることに理解すべきである。
【符号の説明】
【００１７】
１０  温湿度板
１  レンズ
１１  温湿度センサー上蓋
１２  温湿度センサー下蓋
１３  データ転送ケーブル
１４  ナット固定リング
１５  ゴムガスケット
１６  カメラ用マザーボード
１７  支持台下部カバー
１８  レンズボード
１９  ナイトビジョランプカバー
２０  感光性カバー
２  表示スクリーン
３  前部シェル
４  支持台上部カバー
５  電源
６  タッチ銅片
７  後部シェル
８  シリコン連結具
９  後蓋
【図１】
0003234432.tif 000003